(57)【要約】  マルチビーム検査システムの照明路におけるクーロン効果を低減することで、マルチ電子ビームシステムの性能を改善することができる。複数個の孔を有するビーム制限アパーチャを電子ビーム源・マルチレンズアレイ間、例えば無電界領域内に配置することができる。そのビーム制限アパーチャを、それら電子ビーム源・マルチレンズアレイ間にてクーロン相互作用が低減されるように構成する。そのビーム制限アパーチャを有する電子ビームシステムを、走査型電子顕微鏡にて用いることができる。
2020518990.tif 000002
【特許請求の範囲】
【請求項１】
電子ビーム源と、
マルチレンズアレイと、
複数個の孔を画定するビーム制限アパーチャと、を備え、そのビーム制限アパーチャが前記電子ビーム源・前記マルチレンズアレイ間に配置されており、そのビーム制限アパーチャが、それら電子ビーム源・マルチレンズアレイ間にてクーロン相互作用を低減するよう構成されている電子ビームシステム。
【請求項２】
請求項１に記載の電子ビームシステムであって、
前記ビーム制限アパーチャが、１Ｖ／ｍｍ未満の電界を有する電子ビーム源・マルチレンズアレイ間位置に配置されている電子ビームシステム。
【請求項３】
請求項２に記載の電子ビームシステムであって、
前記電子ビーム源・マルチレンズアレイ間位置が無電界である電子ビームシステム。
【請求項４】
請求項１に記載の電子ビームシステムであって、
前記ビーム制限アパーチャが前記孔を少なくとも６個画定する電子ビームシステム。
【請求項５】
請求項１に記載の電子ビームシステムであって、
前記電子ビーム源がエミッタ、サプレッサ及びエクストラクタを有する電子ビームシステム。
【請求項６】
請求項１に記載の電子ビームシステムであって、
前記ビーム制限アパーチャが、それぞれ１μｍ〜１００μｍの直径を呈するよう前記孔を画定する電子ビームシステム。
【請求項７】
請求項６に記載の電子ビームシステムであって、
前記孔それぞれの直径が５０μｍである電子ビームシステム。
【請求項８】
請求項１に記載の電子ビームシステムであって、
前記ビーム制限アパーチャが、２μｍ〜１００μｍのピッチを呈するよう前記孔を画定する電子ビームシステム。
【請求項９】
請求項８に記載の電子ビームシステムであって、
前記ピッチが１００μｍである電子ビームシステム。
【請求項１０】
請求項１に記載の電子ビームシステムであって、
前記ビーム制限アパーチャがシリコン、金属又は合金で作成されている電子ビームシステム。
【請求項１１】
請求項１に記載の電子ビームシステムであって、
前記ビーム制限アパーチャが、それぞれ丸くなるよう前記孔を画定する電子ビームシステム。
【請求項１２】
請求項１に記載の電子ビームシステムであって、
前記孔が、多角形配列の態で前記ビーム制限アパーチャ内に配置されている電子ビームシステム。
【請求項１３】
請求項１に記載の電子ビームシステムを備える走査型電子顕微鏡。
【請求項１４】
電子ビームを生成するステップと、
前記電子ビームを抽出するステップと、
複数個の孔を画定するビーム制限アパーチャ内に前記電子ビームを差し向けるステップと、
前記電子ビームの投射方向を基準にして前記ビーム制限アパーチャの下流に位置するマルチレンズアレイ内にその電子ビームを差し向けるステップと、を有し、そのビーム制限アパーチャが、それら電子ビーム源・マルチレンズアレイ間にてクーロン相互作用が低減されるよう構成されている方法。
【請求項１５】
請求項１４に記載の方法であって、
１Ｖ／ｍｍ未満の電界を有する領域内に前記電子ビームがあるときに、前記ビーム制限アパーチャ内にその電子ビームを通す方法。
【請求項１６】
請求項１５に記載の方法であって、
前記領域が無電界領域である方法。
【請求項１７】
請求項１４に記載の方法であって、
前記電子ビームを前記マルチレンズアレイに通して５０ｎｍなる直径まで集束させる方法。
【請求項１８】
電子ビームを生成するよう構成された電子ビーム源と、
ウェハの上流に位置するマルチレンズアレイと、
複数個の孔を画定するビーム制限アパーチャであり、前記電子ビーム源・前記マルチレンズアレイ間に配置されたビーム制限アパーチャであり、それら電子ビーム源・マルチレンズアレイ間にてクーロン相互作用を低減するよう構成されたビーム制限アパーチャと、
前記ウェハの表面から返ってくる電子ビームから電子を検出するよう構成された検出器と、
を備えるシステム。
【請求項１９】
請求項１８に記載のシステムであって、
前記ビーム制限アパーチャが、１Ｖ／ｍｍ未満の電界を有する電子ビーム源・マルチレンズアレイ間位置に配置されているシステム。
【請求項２０】
請求項１９に記載のシステムであって、
前記電子ビーム源・マルチレンズアレイ間位置が無電界であるシステム。
【発明の詳細な説明】
【技術分野】
【０００１】
本件開示は電子ビームシステムに関する。
【背景技術】
【０００２】
従来の電子ビーム式検査システムでは、ショットキ熱電界電子エミッタにより電子ビームが生成されていた。エミッタの周囲にはサプレッサ電極があり、そのエミッタのシャンクから一次ビーム内への不要熱電子の入り込みがそのサプレッサ電極により抑圧されていた。エクストラクタ電極上の電圧で尖端の頂点における電界が決まっていた。尖端の電界により、その尖端から抽出できるであろうビーム流の量が決まっていた。そのエクストラクタの後段にある２個目の電極即ちアノードが、通常は、そのビームを所望エネルギまで加速するのに用いられていた。エミッタに発するビーム流の分布が数度まで拡がっていた。電子ビーム式検査システムでは、高分解能向けには１°未満なる小さなビーム源見込み角が必要となろう。走査型電子顕微鏡（ＳＥＭ）では、通常、スプレイアパーチャを用い不使用電子が阻止される。そのカラムの更に下流にある２個目のアパーチャを、対物レンズの数値開口（ＮＡ）を設定する瞳アパーチャとして動作させることができる。こうした設計には、なおも、クーロン効果に係る問題がある。
【先行技術文献】
【特許文献】
【０００３】
【特許文献１】米国特許出願公開第２００４／０１４１１６９号
【特許文献２】米国特許出願公開第２０１０／０１０２２２７号
【発明の概要】
【発明が解決しようとする課題】
【０００４】
従って、必要なのは改善された電子ビームシステムである。
【課題を解決するための手段】
【０００５】
第１実施形態では電子ビームシステムが提供される。本電子ビームシステムは、電子ビーム源と、マルチレンズアレイと、複数個の孔を画定するビーム制限アパーチャと、を備える。そのビーム制限アパーチャはそれら電子ビーム源・マルチレンズアレイ間に配置される。そのビーム制限アパーチャは、それら電子ビーム源・マルチレンズアレイ間にてクーロン相互作用を低減するよう構成される。そのビーム制限アパーチャは、シリコン、金属又は合金で作成することができる。その電子ビーム源は、エミッタ、サプレッサ及びエクストラクタを有するものとすることができる。
【０００６】
そのビーム制限アパーチャを、１Ｖ／ｍｍ未満の電界を有する電子ビーム源・マルチレンズアレイ間位置に配置することができる。例えば、その電子ビーム源・マルチレンズアレイ間位置を無電界とすることができる。
【０００７】
そのビーム制限アパーチャによって、少なくとも６個の孔を画定することができる。そのビーム制限アパーチャによって、それぞれ１μｍ〜１００μｍの直径を呈するよう孔を画定することができる。例えば孔それぞれの直径を５０μｍにすることができる。そのビーム制限アパーチャによって、２μｍ〜１００μｍのピッチを呈するよう孔を画定することができる。例えばそのピッチを１００μｍにすることができる。そのビーム制限アパーチャによって、それぞれ丸くなるよう孔を画定することができる。それらの孔を、多角形配列の態でビーム制限アパーチャ内に配置することができる。
【０００８】
第１実施形態の設計バリエーション又は例のうちいずれかに当たる電子ビームシステムを、走査型電子顕微鏡に具備させることができる。
【０００９】
第２実施形態では方法が提供される。本方法は、電子ビームを生成するステップと、その電子ビームを抽出するステップと、複数個の孔を画定するビーム制限アパーチャ内にその電子ビームを差し向けるステップと、その電子ビームの投射方向を基準にしてビーム制限アパーチャの下流に位置するマルチレンズアレイ内にその電子ビームを差し向けるステップと、を有する。そのビーム制限アパーチャは、それら電子ビーム源・マルチレンズアレイ間にてクーロン相互作用が低減されるよう構成される。
【００１０】
その電子ビームを、１Ｖ／ｍｍ未満の電界を有する領域内に配してビーム制限アパーチャ内に通すことができる。例えばその領域を無電界領域とすることができる。
【００１１】
その電子ビームを、マルチレンズアレイに通して５０ｎｍなる直径まで集束させることができる。
【００１２】
第３実施形態ではシステムが提供される。本システムは、電子ビームを生成するよう構成された電子ビーム源と、ウェハの上流に位置するマルチレンズアレイと、複数個の孔を画定するビーム制限アパーチャと、そのウェハの表面から返ってくる電子ビームから電子を検出するよう構成された検出器と、を備える。そのビーム制限アパーチャは、それら電子ビーム源・マルチレンズアレイ間に配置される。そのビーム制限アパーチャは、それら電子ビーム源・マルチレンズアレイ間にてクーロン相互作用を低減するよう構成される。
【００１３】
そのビーム制限アパーチャを、１Ｖ／ｍｍ未満の電界を有する電子ビーム源・マルチレンズアレイ間位置に配置することができる。例えば、その電子ビーム源・マルチレンズアレイ間位置を無電界にすることができる。
【００１４】
本件開示の性質及び諸目的のより遺漏なき理解のためには、以下の添付図面と併せ後掲の詳細記述を参照すべきである。
【図面の簡単な説明】
【００１５】
【図１】本件開示に係る電子ビームシステムの実施形態の模式図である。
【図２】第１の電子ビームヒストグラムである。
【図３】第２の電子ビームヒストグラムである。
【図４】第３の電子ビームヒストグラムである。
【図５】第４の電子ビームヒストグラムである。
【図６】第５の電子ビームヒストグラムである。
【図７】本件開示に係るシステムの実施形態を示す図である。
【図８】本件開示に係る方法のフローチャートである。
【発明を実施するための形態】
【００１６】
特許請求の範囲記載の主題を特定の諸実施形態により記述するけれども、本願中で説明される長所及び特徴全てを提供しない諸実施形態を含め、他の諸実施形態もまた本件開示の技術的範囲内となる。様々な構造的、論理的、処理ステップ的及び電子的改変を、本件開示の技術範囲から離隔することなく施すことができる。従って、本件開示の技術的範囲は添付する特許請求の範囲への参照によってのみ定義される。
【００１７】
本願記載の諸実施形態では、マルチビーム検査システムの照明路におけるクーロン効果を低減することで、マルチ電子ビームシステムの性能が改善される。ビーム制限アパーチャ（ＢＬＡ）を用いて不使用電子を阻止し、下流に流れ続けないようにすることで、例えば帯電及び／又はガス電離を防止することができる。このＢＬＡはクーロン効果の低減に役立ちうる。電子が電子光学カラム内を進行する際には、それら電子が帯電粒子であることから、クーロンの法則で記述される如く電子同士が相互作用する。その電子カラムにおける多数の電子の蓄積効果と、その電子カラム内でそれら電子が費やす時間の長さとにより、そのクーロン効果の規模が決まってくる。ビーム路上、電子源の近くにＢＬＡを導入し、それにより電子を除去することで、電子光学カラム内電子が電子路の大部分にてより少数となる。電子が少数であるため、クーロン効果の規模を低減することができる。
【００１８】
図１は、電子ビームシステム１００のある実施形態の模式図である。本電子ビームシステム１００は電子ビーム源１０１、ビーム制限アパーチャ（ＢＬＡ）１０３及びマルチレンズアレイ（ＭＬＡ）１０４を有している。その電子ビーム源１０１は、エミッタ１０９、サプレッサ１１０及びエクストラクタ１０２を有するものとすることができる。
【００１９】
ＢＬＡ１０３を電子ビーム源１０１のそばに配置することで、空間電荷効果を低減することができる。一例としては、ＢＬＡ１０３が無電界領域内、エクストラクタ１０２の極力近くに配される。これにより、接地電位をとるアノード１０６よりも僅かに低電位とすることができる。
【００２０】
ＢＬＡ１０３は、許容範囲内のパワー及び／又は放熱が提供・実現されるシリコン、金属、合金その他の素材で作成するとよい。そうした素材のＢＬＡ１０３であれば、熱による熔融や歪みの発生に抗することができる。ＢＬＡ１０３をアノード１０６に連結してもよい。ＢＬＡ１０３の厚みは２μｍ〜２５μｍとすることができるが、他の寸法でもかまわない。
【００２１】
ＢＬＡ１０３は「ペッパーポット」ＢＬＡと呼べるものである。図１中のＢＬＡ１０３は、自ＢＬＡ１０３を貫く複数個の孔１０５を画定している。ＢＬＡ１０３に設ける孔１０５の個数は、その間にあるあらゆる範囲及び値を含め、１個〜２０００個又は３０００個とすることができる。一例としてはＢＬＡ１０３により６個又は７個の孔１０５が画定される。より多数又は少数の孔１０５をＢＬＡ１０３に設けてもよい。
【００２２】
各孔１０５の直径は、それらの間にあり０．５μｍに至るあらゆる値及び範囲を含め、１μｍ〜１００μｍとすることができる。一例としては各孔１０５の直径が５０μｍとされる。別例としては、それらの間にあり０．５μｍに至るあらゆる値及び範囲を含め、各孔１０５の直径が１μｍ〜１０μｍとされる。孔１０５のサイズを電子ビームのサイズに比し僅かに大きくすることで、ＭＬＡ１０４の瞳アパーチャを照明で満たしきる（オーバフィルする）ことができる。更に、ＢＬＡ１０３をシールドとして働かせその電子ビームの一部分を阻止することができる。
【００２３】
孔１０５は、それらの間にあり０．５μｍに至るあらゆる値及び範囲を含め、２μｍ〜１００μｍのピッチを呈するようＢＬＡ１０３内に配置することができる。一例としてはＢＬＡ１０３における孔１０５のピッチが１００μｍとされる。
【００２４】
図１中の挿入図は、ＢＬＡ１０３の線Ａ−Ａ沿い正面外観の例を、同図の他部分とは別の縮尺で描いたものである。個々の孔１０５は丸くても多角形でもその他の形状でもよい。これら６個の孔１０５は（破線で示す如く）多角形パターンの態で配列されている。
【００２５】
別例としては、ＢＬＡ１０３により７個の孔１０５が多角形配列をなして画定される。更なる例としては、ＢＬＡ１０３により約１０００個の孔１０５が画定される。ＢＬＡ１０３の一例は検査用のＢＬＡ１０３であり３３１個の孔１０５を有する。
【００２６】
ＢＬＡ１０３にて孔１０５を多角形パターンの態で配列することは、それらの孔１０５が円を近似する要領で並ぶことになるので、有益であろう。電子ビーム式検査システムにて用いられる電子光学系は往々にして回転対称なのである。その巨視的電子レンズの内法エリアを最適化するには円を近似するパターンが望ましかろう。
【００２７】
電子ビーム源１０１により生成された電子ビーム１０７のうち、ＢＬＡ１０３の孔１０５内を通る電子ビーム１０７は、そのＢＬＡ１０３によって複数本のビームレット１０８へと転化される。ビームレット１０８は孔１０５毎に１本作成される。各ビームレット１０８のＢＬＡ１０３退出時直径は約５０ｎｍとなりうる。こうした設計の電子ビームシステム１００によれば、複数本の細いビームレット１０８を作成し、それらを互いに拡散させることができる。電子ビーム１０７の残りはＢＬＡ１０３により阻止される。
【００２８】
ＭＬＡ１０４はレンズの２Ｄアレイを有している。ＭＬＡ１０４内の個別レンズには、その個別レンズに係る光軸乃至第３軸に沿いより多数の孔を設けることができる。一例としては、ＭＬＡ１０４のレンズの孔と、ＢＬＡ１０３の孔１０５とを、１対１写像の関係とする。
【００２９】
マルチビームシステムはＭＬＡ１０４、例えば静電的なそれをフラッド照明することで生成される。静電レンズは、ＭＬＡ１０４のアパーチャを横断する方向に沿い電界を配することで形成される。個々の個別レンズによって、電子ビーム源１０１の像が仮想源面に作成され、次いでそれがウェハ上へと縮小投射される。ＭＬＡ１０４を照明するには、ビーム源からの照明角を大きくする必要があろう。この照明角は例えば高々２°でよいが、他の値にしてもよい。
【００３０】
ＢＬＡ１０３は電子ビーム源１０１・ＭＬＡ１０４間に配置されている。ＢＬＡ１０３を、電子ビーム源１０１・ＭＬＡ１０４間にあり１Ｖ／ｍｍ未満又は無電界の領域又は位置に所在させることで、孔１０５によるレンズ効果を抑えること、更にはなくすことができる。即ち、ＢＬＡ１０３によりビームレット１０８が集束されることがない。無電界とは０Ｖ／ｍｍのことであるが、レンズ効果が生じなければ、他の０Ｖ／ｍｍ近傍値であってもよい。ＢＬＡ１０３を電子ビーム源１０１・ＭＬＡ１０４間に配置することで、その領域におけるクーロン相互作用を低減することができる。そうする際に、ＢＬＡ１０３が光学部材として動作することがなく、トレランス条件が低減される。ある例によれば、約３ｎｍ〜１０ｎｍの分解能にて、ウェハに送給される電子ビーム流を２倍化、３倍化又は４倍化することができる。
【００３１】
電子相互作用及びクーロン相互作用は問題を引き起こしがちである。例えば、それらの相互作用によって、色収差又は分散により生じたブラー（ぼけ）が増すことがある。横ブラーは補正できないこともありうる。ＢＬＡ１０３を適宜構成することで、電子ビーム源１０１・ＭＬＡ１０４間でのクーロン相互作用を低減することができる。ビームレット１０８に分けることで、更に、クロストークを減らして性能を更に改善することができる。
【００３２】
一例としては、エミッタ１０９を−ＶＥで動作させ、エクストラクタ１０２を−Ｖｅｘｔで動作させ、サプレッサ１１０を−ＶＳ（例．−ＶＥ−１０００Ｖ）で動作させ、且つアノードを０Ｖで動作させる。ＭＬＡ１０４に電圧を印加してもよい。例えば、−ＶＥを６０００Ｖ〜３００００Ｖとし、−Ｖｅｘｔを−ＶＥ＋３０００Ｖ〜７０００Ｖとする。
【００３３】
電子ビーム又はビームレット１０８の方向を基準として、ＭＬＡ１０４の下流には磁気レンズ１１１があり、これには少なくとも１個のコイル１１３と磁極片１１２とが備わっている。要素１１４はそれらビームレット１０８の軌道、焦点及び／又はサイズを調整する。
【００３４】
本電子ビームシステム１００は、例えば、ＳＥＭその他の装置にて用いることができる。
【００３５】
図２〜図６はモンテカルロシミュレーションで得た電子ビームヒストグラムである。図２にはＢＬＡの上流における２５０μｍ電子ビームが示されている。図３にはＢＬＡの下流における電子ビームが示されている。図４にはＭＬＡの上流における電子ビームが示されている。図５にはＭＬＡの下流における電子ビームが示されている。図６には電子ビームの中間像が示されている。本願開示の如くＢＬＡを用いることで、図２〜図６中にシミュレーションで示した如くクーロンブラーが低減される。中心電子ビームブラーは、ＢＬＡ無しの場合の４９ｎｍに比べＤ２０８０＝３１ｎｍまで低減されている。総電流は、ＢＬＡ無しでの１６．１ｎＡから、ＢＬＡ有りでの６．３ｎＡまで低減されている。これらシミュレーションから分かる通り、ＢＬＡによって、ＢＬＡ無しのシステムに対しほぼ２倍良好な、改善された性能を提供することができる。
【００３６】
本願記載の諸実施形態はシステム、例えば図７のシステム２００を有するものとし又はそのシステムにて実行することができる。本システム２００は、少なくともエネルギ源及び検出器を有する出力獲得サブシステムを有している。その出力獲得サブシステムの例は電子ビーム式出力獲得サブシステムである。例えばある実施形態では、ウェハ２０４に向かうエネルギに電子が含まれ、そのウェハ２０４から検出されるエネルギに電子が含まれる。この形態におけるエネルギ源の例は電子ビーム源２０２であり、これには本願開示の電子ビームシステムを具備又は結合させることができる。図７に示すその種の実施形態では、出力獲得サブシステムが電子光学カラム２０１を有し、それがコンピュータサブシステム２０７に結合されている。
【００３７】
これも図７に示す通り、電子光学カラム２０１は、電子を生成するよう構成された電子ビーム源２０２を有しており、それら電子が１個又は複数個の要素２０３によりウェハ２０４の方へと集束されている。電子ビーム源２０２にはエミッタを設けることができ、１個又は複数個の要素２０３には、例えばガンレンズ、アノード、ＢＬＡ、ＭＬＡ、ゲートバルブ、ビーム流選択アパーチャ、対物レンズ及び／又は走査サブシステムを含めることができる。電子カラム２０１には、本件技術分野において既知で好適な他のあらゆる要素を設けることができる。電子ビーム源２０２が１個しか描かれていないが、本システム２００に複数個の電子ビーム源２０２を設けてもよい。
【００３８】
ウェハ２０４から返された電子（例．二次電子）は、１個又は複数個の要素２０５により検出器２０６の方へと集束させることができる。１個又は複数個の要素２０５には例えば走査サブシステムを含めることができ、またそれは、要素２０３に含まれるものと同じ走査サブシステムとすることができる。電子カラム２０１には、本件技術分野において既知で好適な他のあらゆる要素を設けることができる。
【００３９】
図７に示した電子カラム２０１は、電子をある斜め入射角にてウェハ２０４に差し向け別の斜め角にてウェハから散乱させるよう構成されているが、理解し得るように、電子ビームをウェハに差し向けウェハから散乱させる角度は任意の好適な角度とすることができる。加えて、その電子ビーム式出力獲得サブシステムを、複数個のモードを用い（例．相異なる照明角、収集角等々で以て）ウェハ２０４の像を生成するよう、構成することができる。それら、電子ビーム式出力獲得サブシステムの複数個のモードは、その出力獲得サブシステムのいずれの画像生成パラメタが異なるものであってもよい。
【００４０】
コンピュータサブシステム２０７は検出器２０６と電子通信することができる。ウェハ２０４の表面から返された電子をその検出器２０６により検出してそのウェハ２０４の電子ビーム像を形成することができる。それら電子ビーム像にはあらゆる好適な電子ビーム像が含まれうる。コンピュータサブシステム２０７は、検出器２０６の出力及び／又はそれら電子ビーム像を用い他の機能又は付加的なステップを実行するよう、構成することができる。
【００４１】
注記されることに、本願に図７を設けたのは、電子ビーム式出力獲得サブシステムの構成を概略描写するためである。本願記載の電子ビーム式出力獲得サブシステムの構成は、商用の出力獲得システムを設計する際通常行われている通り、その出力獲得サブシステムの性能が最適化されるよう改変することができる。加えて、本願記載の諸システムを、既存システムを用いて（例．既存システムに本願記載の機能を付加することで）実現することができる。その種のシステムのうちあるものでは、本願記載の諸方法をそのシステムの付随的機能として（例．そのシステムの他機能に加え）提供することができる。
【００４２】
一実施形態に係るシステム２００は検査システムである。例えば、本願記載の電子ビーム式出力獲得サブシステムを検査システムとして構成することができる。もう一つの実施形態に係るシステム２００は欠陥レビューシステムである。例えば、本願記載の電子ビーム式出力獲得サブシステムを欠陥レビューシステムとして構成することができる。更なる実施形態に係るシステム２００は計量システムである。例えば、本願記載の電子ビーム式出力獲得サブシステムを計量システムとして構成することができる。とりわけ、本願に記載され図７に示されているシステム２００の諸実施形態にて、１個又は複数個のパラメタを修正することで、それらが用いられるであろう用途に応じ、相異なるイメージング能力を提供することができる。その種の例のうちあるものによれば、検査ではなく欠陥レビュー又は計量での使用が想定されているときに、図７に示されているシステム２００を、より高い分解能を呈するよう構成することができる。言い換えれば、本システム２００について図７に示した実施形態は、システム２００に関しある種の一般的で多様な構成を述べており、多々ある要領に従いそれを仕立て上げることで、相異なる用途に多少とも適した相異なるイメージング能力を有する出力獲得サブシステムを提供することができる。
【００４３】
とりわけ、本願記載の諸実施形態をコンピュータノード又はコンピュータクラスタ上に実装し、それを電子ビーム式インスペクタ若しくは欠陥レビューツール、マスクインスペクタ、仮想インスペクタその他の諸装置等といった出力獲得サブシステムの構成部材とすること、或いはその出力獲得サブシステムに結合させることができる。こうすることで、本願記載の諸実施形態によれば、これに限られるものではないがウェハ検査、マスク検査、電子ビーム式検査及びレビュー、計量又はその他の諸用途を初め、様々な用途にて用いうる出力を生成することができる。図７に示したシステム２００の特性は、出力を生成するであろう試料を踏まえ上述の如く修正することができる。
【００４４】
図８は方法３００のフローチャートである。電子ビームが生成され（３０１）、抽出され（３０２）、ＢＬＡ内に差し向けられ（３０３）、そしてその電子ビームの投射方向を基準としてそのＢＬＡの下流にあるＭＬＡ内へと差し向けられる（３０４）。そのＢＬＡにより複数個の孔が画定される。そのＢＬＡは、電子ビーム源・マルチレンズアレイ間にてクーロン相互作用を低減するよう構成されている。電子ビームが１Ｖ／ｍｍの領域即ち無電界領域内にあるときに、ＢＬＡ内にその電子ビームを通すことができる。その電子ビームをＭＬＡ内に通すことで、例えば５０ｎｍなる直径まで集束させることができる。
【００４５】
本方法の各ステップは本願記載の如く実行されうる。また、本方法には、本願記載のコントローラ及び／又はコンピュータサブシステム（群）又はシステム（群）により実行可能なあらゆる他ステップ（群）を含めうる。それらのステップは１個又は複数個のコンピュータシステムにより実行することができ、またその又はそれらのコンピュータシステムは本願記載の諸実施形態のいずれによっても構成することができる。加えて、上述の諸方法を本願記載のシステム実施形態のうちいずれにより実行してもよい。
【００４６】
本件開示について、１個又は複数個の具体的実施形態を基準にして記述してきたが、理解し得るように、本件開示の技術的範囲から離隔することなく、本件開示の他の諸実施形態をなすことができる。従って、本件開示は、添付する諸請求項及びその合理的解釈によってのみ限定されるものと認められる。
【図１】
2020518990.tif 000003
【図２】
2020518990.tif 000004
【図３】
2020518990.tif 000005
【図４】
2020518990.tif 000006
【図５】
2020518990.tif 000007
【図６】
2020518990.tif 000008
【図７】
2020518990.tif 000009
【図８】
2020518990.tif 000010
【国際調査報告】
2020518990.tif 000011
2020518990.tif 000012
2020518990.tif 000013